(57)【要約】【課題】サスペンデッドデッキを有する二重殻タンクにおいて、外周プレートの傾動によりパーライト等の異物が内槽内部に落下することを抑止する。【解決手段】サスペンデッドデッキが、内槽上に吊り下げ支持される中央プレートと、内槽の側板上縁部に当接されると共に中央プレートに対して傾動可能に接続された複数の外周プレートを有する二重殻タンクであって、中央プレートと外周プレートとの境界部、及び、隣り合う外周プレート同士の境界部の少なくともいずれかを覆う被覆部を備える。【選択図】図３
2017132473.tif 000002
【特許請求の範囲】
【請求項１】
サスペンデッドデッキが、内槽の上に吊り下げ支持される中央プレートと、前記内槽の側板上縁部に当接されると共に前記中央プレートに対して傾動可能に接続された複数の外周プレートを有する二重殻タンクであって、
前記中央プレートと前記外周プレートとの境界部、及び、隣り合う外周プレート同士の境界部の少なくともいずれかを覆う被覆部を備えることを特徴とする二重殻タンク。
【請求項２】
前記被覆部は、ガラスクロス及びグラスウールのいずれかあるいは両方からなることを特徴とする請求項１記載の二重殻タンク。
【請求項３】
前記外周プレートが、隣の外周プレートに締結部材により締結されるリブを有し、
１枚の前記ガラスクロスが、隣り合う前記外周プレートのリブの表面に沿って配設されている
ことを特徴とする請求項２記載の二重殻タンク。
【請求項４】
隣り合う前記外周プレートのリブ同士の間に前記グラスウールが充填されていることを特徴とする請求項３記載の二重殻タンク。
【発明の詳細な説明】
【技術分野】
【０００１】
本発明は、二重殻タンクに関するものである。
【背景技術】
【０００２】
ＬＮＧ（Liquefied Natural Gas）を貯蔵する地上式の二重殻タンクでは、金属製の内槽の上端開口を覆うようにサスペンドデッキが配置されている（例えば特許文献１参照）。このようなサスペンデッドデッキは、複数のハンガによって外槽屋根から吊り下げ支持されている。
【先行技術文献】
【特許文献】
【０００３】
【特許文献１】特表２００９−５１６８０９号公報
【発明の概要】
【発明が解決しようとする課題】
【０００４】
ところで、二重殻タンクの内槽には、極低温のＬＮＧが貯蔵されるため、ＬＮＧを受入時に金属製の内槽が収縮する。このとき、内槽の側板上端縁とサスペンドデッキとの間に隙間が生じないよう、サスペンデッドデッキの外周部に可動式の外周プレートを環状に複数設置している。これらの外周プレートは、サスペンデッドデッキの中央部を構成すると共に上記ハンガに固定された中央プレートに対して傾動可能に接続されている。また、外周プレートは、内槽の側板上端縁に当接されており、内槽の側板上端縁へ当接された状態のまま、内槽の収縮に合わせて中央プレートに対して傾動される。
【０００５】
しかしながら、一般的にサスペンデッドデッキの外周部の上部には、保冷性能の向上のために、粒状のパーライトが充填されている。このため、外周プレートの傾動により、粒状のパーライトが中央プレートと外周プレートとの境界部や外周プレート同士の境界部から内槽内部に落下する場合がある。このように、サスペンデッドデッキを有する二重殻タンクにおいては、外周プレートの傾動により異物が内槽内部に落下する場合がある。
【０００６】
本発明は、上述する問題点に鑑みてなされたもので、サスペンデッドデッキを有する二重殻タンクにおいて、外周プレートの傾動によりパーライト等の異物が内槽内部に落下することを抑止することを目的とする。
【課題を解決するための手段】
【０００７】
本発明は、上記課題を解決するための手段として、以下の構成を採用する。
【０００８】
第１の発明は、サスペンデッドデッキが、内槽の上に吊り下げ支持される中央プレートと、上記内槽の側板上縁部に当接されると共に上記中央プレートに対して傾動可能に接続された複数の外周プレートを有する二重殻タンクであって、上記中央プレートと上記外周プレートとの境界部、及び、隣り合う外周プレート同士の境界部の少なくともいずれかを覆う被覆部を備えるという構成を採用する。
【０００９】
第２の発明は、上記第１の発明において、上記被覆部が、ガラスクロス及びグラスウールのいずれかあるいは両方からなるという構成を採用する。
【００１０】
第３の発明は、上記第２の発明において、上記外周プレートが、隣の外周プレートに締結部材により締結されるリブを有し、１枚の上記ガラスクロスが、隣り合う上記外周プレートのリブの表面に沿って配設されているという構成を採用する。
【００１１】
第４の発明は、上記第３の発明において、隣り合う上記外周プレートのリブ同士の間に上記グラスウールが充填されているという構成を採用する。
【発明の効果】
【００１２】
本発明によれば、異物の内槽への侵入経路となる中央プレートと外周プレートとの境界部及び外周プレート同士の境界部の少なくともいずれかが被覆部により覆われている。このため、これらの境界部から内槽の内部にパーライト等の異物が侵入することを防止することができる。したがって、本発明によれば、サスペンデッドデッキを有する二重殻タンクにおいて、外周プレートの傾動によりパーライト等の異物が内槽内部に落下することを抑止することが可能となる。
【図面の簡単な説明】
【００１３】
【図１】本発明の一実施形態における地上式の二重殻タンクの概略構成を模式的に示す縦断面図である。
【図２】本発明の一実施形態における地上式の二重殻タンクが備えるサスペンデッドデッキの外周部を含む拡大断面図である。
【図３】本発明の一実施形態における地上式の二重殻タンクが備えるサスペンデッドデッキの外周部を含む拡大斜視図である。
【図４】図３のＡ−Ａ断面図である。
【発明を実施するための形態】
【００１４】
以下、図面を参照して、本発明に係る二重殻タンクの一実施形態について説明する。なお、以下の図面において、各部材を認識可能な大きさとするために、各部材の縮尺を適宜変更している。
【００１５】
図１は、本実施形態の地上式の二重殻タンク１の概略構成を示す縦断面図である。この図に示すように、本実施形態の二重殻タンク１は、ＰＣ（プレストレストコンクリート）式のタンクであり、基礎床版２と、外槽３と、底部保冷層４と、内槽５と、側部保冷層６と、サスペンデッドデッキ７と、ハンガ８と、リテイニングウォール９と、被覆部１０と、上部保冷層１１とを備えている。
【００１６】
基礎床版２は、外槽３や内槽５等を下方から支持する基礎であり、上方から見て外槽３よりも大径な略円盤状とされている。この基礎床版２には、不図示のヒータが設置されており、貯留されたＬＮＧの冷熱が地中に伝わることが抑止される。外槽３は、プレストレストコンクリートからなる容器であり、内槽５を覆うように基礎床版２上に立設されている。この外槽３は、円筒形状の外槽側壁３ａと、外槽側壁３ａの上縁部に接続された外槽天井部３ｂとを有している。
【００１７】
底部保冷層４は、基礎床版２の上面に載置されており、内槽５を下方から支持している。この底部保冷層４は、基礎床版２よりも小径の略円盤状とされており、上方から見て基礎床版２の同軸状に配置されている。この底部保冷層４は、例えばパーライトコンクリートや砂等によって形成されている。内槽５は、底部保冷層４上にされた金属製の容器であり、有底円筒で上端が開口端とされた形状を有している。この内槽５の内部にＬＮＧが貯留される。この内槽５は、内槽底部５ａと、内槽底部５ａの縁部に立設される内槽側壁５ｂ（側板）とを有している。
【００１８】
側部保冷層６は、外槽側壁３ａと内槽側壁５ｂとの間に配置されており、粒状のパーライトが充填されることにより形成されている。また、側部保冷層６は、図１に示すように、内槽５の上部にまで形成されており、サスペンデッドデッキ７の上部に形成されたリテイニングウォール９に側方から支持されることよってサスペンデッドデッキ７の外周部の上部まで充填配置されている。
【００１９】
サスペンデッドデッキ７は、開口端とされた内槽５の上端を上方から塞ぐようにハンガ８によって吊り下げ支持された金属製の円盤状の部材である。図２は、サスペンデッドデッキ７の外周部を含む拡大断面図である。また、図３は、サスペンデッドデッキ７の外周部を含む拡大斜視図である。なお、図２においては、被覆部１０については省略して図示している。これらの図に示すように、サスペンデッドデッキ７は、中央プレート７ａと、外周プレート７ｂと、ヒンジ部７ｃと、締結ボルト７ｄ（締結部材）とを有している。
【００２０】
中央プレート７ａは、平面視においてサスペンデッドデッキ７の中央部を構成する略円盤状の部位である。この中央プレート７ａは、平面視において内槽５と同心状に配置され、内槽５よりも直径が小さく設定されている。このため、中央プレート７ａの外周縁は、内槽５の側板上端部よりも内槽５の内側に位置されている。このような中央プレート７ａは、複数のハンガ８により外槽天井部３ｂから内槽５上に吊り下げ支持されている。
【００２１】
外周プレート７ｂは、中央プレート７ａの外周縁に沿って複数配置されたプレート状の部材であり、サスペンデッドデッキ７の外周部を構成している。これらの外周プレート７ｂは、各々がヒンジ部７ｃを介して中央プレート７ａに対して傾動可能に接続されている。このような外周プレート７ｂは、ヒンジ部７ｃを中心として、平面視における内槽５の外側方向に位置する端部が上下方向に移動されるように回動可能とされている。また、外周プレート７ｂは、内槽５の側板上縁部（内槽側壁５ｂの上端部）に上方から当接されている。
【００２２】
また、外周プレート７ｂの内槽５の周方向の両端の各々には、上方に向けて立設される接続リブ７ｂ１が設けられている。隣り合う外周プレート７ｂの接続リブ７ｂ１同士は、図３に示すように対向して配置されており、締結ボルト７ｄにより締結されている。このように接続リブ７ｂ１同士が締結ボルト７ｄにより締結されることにより、隣り合う外周プレート７ｂ同士が固定されている。
【００２３】
ヒンジ部７ｃは、中央プレート７ａの外周部と外周プレート７ｂとを接続する部位である。このヒンジ部７ｃは、外周プレート７ｂの各々に対して単数あるいは複数（本実施形態では２つ）設けられている。このようなヒンジ部７ｃは、外周プレート７ｂを回動可能に中央プレート７ａに接続している。締結ボルト７ｄは、ナットと共に隣り合う外周プレート７ｂの接続リブ７ｂ１同士を接続している。
【００２４】
このようなサスペンデッドデッキ７は、内槽５の収縮に合わせて外周プレート７ｂによって形成された外周部が、中央プレート７ａによって形成された中央部に対して傾動される。より詳細に説明すると、外周プレート７ｂは、内槽５の内槽側壁５ｂの上端部に上方から当接されている。このため、内槽５にＬＮＧが供給されて収縮すると、外周プレート７ｂが外側の端部を下げるようにして、ハンガ８によって吊り下げ支持された中央プレート７ａに対して傾動される。また、内槽５が膨張すると、外周プレート７ｂが外側の端部を上げるようにして、中央プレート７ａに対して傾動される。
【００２５】
ハンガ８は、上端部が外槽天井部３ｂに固定されると共に、下端部がサスペンデッドデッキ７の中央プレート７ａに固定されている。このようなハンガ８は、図１に示すように、外槽天井部３ｂとサスペンデッドデッキ７との間に複数設置されており、サスペンデッドデッキ７を吊り下げ支持する。リテイニングウォール９は、サスペンデッドデッキ７の中央プレート７ａの外縁部に沿って略円筒状に配設されており、外槽天井部３ｂからサスペンデッドデッキ７に亘って形成されている。このようなリテイニングウォール９は、粒状のパーライトからなる側部保冷層６がサスペンデッドデッキ７の上方（タンク内側）に侵入することを防止している。
【００２６】
被覆部１０は、中央プレート７ａと外周プレート７ｂとの境界部Ｋ１と、外周プレート７ｂ同士の境界部Ｋ２とを覆うものであり、第１ガラスクロス１０ａと、第２ガラスクロス１０ｂと、第１グラスウール１０ｃと、第２グラスウール１０ｄとを有している。第１ガラスクロス１０ａと第２ガラスクロス１０ｂとは、ガラス繊維が編み込まれることによって形成された繊維織物からなる。第１ガラスクロス１０ａは、中央プレート７ａと外周プレート７ｂとの境界部Ｋ１を上方から覆うように配置され、平面視において境界部Ｋ１に沿って環状に配設されている。なお、第１ガラスクロス１０ａは、外周プレート７ｂの接続リブ７ｂ１と重なる領域やヒンジ部７ｃと重なる領域が切り欠かれており、サスペンデッドデッキ７の上面に沿って平らに設置されている。第２ガラスクロス１０ｂは、外周プレート７ｂ同士の境界部Ｋ２ごとに設けられており、この境界部Ｋ２を上方から覆うように配設されている。図４は、図３のＡ−Ａ断面図である。この図に示すように、第２ガラスクロス１０ｂは、隣り合う外周プレート７ｂの接続リブ７ｂ１の表面に沿って配設されている。つまり、本実施形態においては、１枚のガラスクロス（第２ガラスクロス１０ｂ）が隣り合って対向する接続リブ７ｂ１を覆うように配設されており、第２ガラスクロス１０ｂが外周プレート７ｂとの間に隙間を生じることなく配設されている。なお、第１ガラスクロス１０ａと第２ガラスクロス１０ｂとが重なり合う領域においては、第２ガラスクロス１０ｂ上に第１ガラスクロス１０ａが重なるように配置されている。
【００２７】
第１グラスウール１０ｃ及び第２グラスウール１０ｄは、グラスウールがブロック状に成形されることにより形成されている。第１グラスウール１０ｃは、第１ガラスクロス１０ａ上に配設されており、第１ガラスクロス１０ａに沿って平面視において環状とされている。第２グラスウール１０ｄは、隣り合う外周プレート７ｂの接続リブ７ｂ１同士の間に配置されている。つまり、本実施形態においては、隣り合う外周プレート７ｂの接続リブ７ｂ１同士の間にグラスウールが充填されている。
【００２８】
上部保冷層１１は、サスペンデッドデッキ７の上面に載置されており、リテイニングウォール９の内側に配置されている。このような上部保冷層１１は、ポリウレタンフォーム等によって形成されている。
【００２９】
このような構成の本実施形態の二重殻タンク１においては、内槽５にＬＮＧが供給されると、熱収縮により内槽５が収縮し、内槽側壁５ｂの上端部が下降する。このとき、内槽側壁５ｂの上端部に上方から当接された外周プレート７ｂは、内槽側壁５ｂの上端部の下降に伴って、外側の端部を下げるようにして中央プレート７ａに対して傾動される。また、点検時等においてＬＮＧが内槽５から抜かれると、内槽５が膨張し、内槽側壁５ｂの上端部が上昇する。このとき、内槽側壁５ｂの上端部に上方から当接された外周プレート７ｂは、内槽側壁５ｂの上端部の上昇に伴って、外側の端部を上げるようにして中央プレート７ａに対して傾動される。
【００３０】
ここで、側部保冷層６が粒状のパーライトにより形成されているため、外周プレート７ｂの中央プレート７ａに対する傾動により、外周プレート７ｂの近傍のパーライトの粒子が動かされる。このため、中央プレート７ａと外周プレート７ｂとの境界部Ｋ１と、外周プレート７ｂ同士の境界部Ｋ２とを覆う被覆部１０が設けられていないと、境界部Ｋ１及び境界部Ｋ２の僅かな隙間からパーライトの粒子が内槽５の内部に落下する可能性がある。これに対して、本実施形態の二重殻タンク１によれば、異物の内槽５への侵入経路となる中央プレート７ａと外周プレート７ｂとの境界部Ｋ１及び外周プレート７ｂ同士の境界部Ｋ２が被覆部１０により覆われている。このため、これらの境界部Ｋ１及び境界部Ｋ２から内槽５の内部にパーライトが侵入することを防止することができる。したがって、本実施形態の二重殻タンク１によれば、外周プレート７ｂの傾動によりパーライト等の異物が内槽５の内部に落下することを抑止することが可能となる。
【００３１】
また、本実施形態の二重殻タンク１においては、被覆部１０が、ガラスクロス及びグラスウールからなる構成を採用している。このため、被覆部１０を軽量なものとすることができ、サスペンデッドデッキ７及びハンガ８への負荷を最小限に抑えつつ、異物の内槽５の内部への侵入を抑止することができる。また、被覆部１０がガラスクロス及びグラスウールから形成されることにより、被覆部１０を外力により容易に変形させることができる。このため、被覆部１０の設置により、外周プレート７ｂの中央プレート７ａに対する傾動が規制されることがない。
【００３２】
また、本実施形態の二重殻タンク１においては、外周プレート７ｂが、隣の外周プレート７ｂに締結ボルト７ｄにより締結される接続リブ７ｂ１を有しているが、１枚の第２ガラスクロス１０ｂが、隣り合う外周プレート７ｂの接続リブ７ｂ１の表面に沿って配設されている。つまり、本実施形態の二重殻タンク１においては、外周プレート７ｂが接続リブ７ｂ１のような突起を有する形状であるものの、突起に応じた開口部を設けることなく第２ガラスクロス１０ｂが配設されている。このため、本実施形態の二重殻タンク１によれば、粒状のパーライトが第２ガラスクロス１０ｂを通過して境界部Ｋ２を介して内槽５の内部に落下することを防止することができる。
【００３３】
また、本実施形態の二重殻タンク１においては、隣り合う外周プレート７ｂの接続リブ７ｂ１同士の間に第２グラスウール１０ｄが設置されている。このため、隣り合う外周プレート７ｂの接続リブ７ｂ１同士の間にパーライトが入り込むことがなく、境界部Ｋ２を介して内槽５の内部に落下することをより確実に防止することができる。
【００３４】
以上、図面を参照しながら本発明の好適な実施形態について説明したが、本発明は上記実施形態に限定されるものではない。上述した実施形態において示した各構成部材の諸形状や組み合わせ等は一例であって、本発明の趣旨から逸脱しない範囲において設計要求等に基づき種々変更可能である。
【００３５】
例えば、本実施形態においては、本発明の二重殻タンクを地上式のＰＣタンクに適用した例について説明した。しかしながら、本発明はこれに限定されるものではなく、他の二重殻タンクに適用することも可能である。例えば、プレストレストコンクリートからなる外槽３に換えて金属製の外槽を備える金属製の二重殻タンクに本発明を適用することも可能である。
【００３６】
また、上記実施形態においては、中央プレート７ａと外周プレート７ｂとの境界部Ｋ１と、外周プレート７ｂ同士の境界部Ｋ２との両方が被覆部１０により覆われている構成を採用した。しかしながら、本発明はこれに限定されるものではなく、中央プレート７ａと外周プレート７ｂとの境界部Ｋ１と、外周プレート７ｂ同士の境界部Ｋ２とのいずれかののみを被覆部により覆う構成を採用することも可能である。このような場合であっても、被覆部により覆われた領域においては、粒状のパーライトが内槽５の内部に落下することを防止することができる。
【００３７】
また、上記実施形態においては、被覆部１０がガラスクロスとグラスウールとの両方を有する構成について説明した。しかしながら、本発明はこれに限定されるものではなく、ガラスクロスとグラスウールとのいずれかからなる被覆部を設ける構成を採用することも可能である。
【００３８】
また、上記実施形態においては、第２ガラスクロス１０ｂを隣り合う外周プレート７ｂの接続リブ７ｂ１の先端同士に架け渡されるように配設する構成を採用することも可能である。また、外周プレート７ｂの接続リブ７ｂ１同士の間に第２グラスウール１０ｄを設置しない構成を採用することも可能である。
【符号の説明】
【００３９】
１  二重殻タンク
２  基礎床版
３  外槽
３ａ  外槽側壁
３ｂ  外槽天井部
４  底部保冷層
５  内槽
５ａ  内槽底部
５ｂ  内槽側壁（側板）
６  側部保冷層
７  サスペンデッドデッキ
７ａ  中央プレート
７ｂ  外周プレート
７ｂ１  接続リブ
７ｃ  ヒンジ部
７ｄ  締結ボルト（締結部材）
８  ハンガ
９  リテイニングウォール
１０  被覆部
１０ａ  第１ガラスクロス
１０ｂ  第２ガラスクロス
１０ｃ  第１グラスウール
１０ｄ  第２グラスウール
１１  上部保冷層
Ｋ１  境界部
Ｋ２  境界部
【図１】
2017132473.tif 000003
【図２】
2017132473.tif 000004
【図３】
2017132473.tif 000005
【図４】
2017132473.tif 000006